(57)【要約】【課題】コンテンツの再生に付帯してダウンロードされる情報を表示するための言語をユーザーの視聴状況に応じて自動で選択することが可能なメディアプレーヤーを提供する。【解決手段】ネットワーク上で接続されたダウンロードサーバーから所定データーのダウンロードを要求するメディアプレーヤーにおいて、メディアに記録されたコンテンツ毎に表示字幕の種別、視聴音声の種別、及び再生回数を記録する記録手段と、前記記録された再生回数に応じて、前記ダウンロードサーバーに要求する画面上で表示する表示言語を選択する表示言語選択手段と、前記選択された表示言語を前記ネットワークを介して前記ダウンロードサーバーに要求する要求手段と、を有する。【選択図】図１
2011151651.tif 000002
【特許請求の範囲】
【請求項１】
ネットワーク上で接続されたダウンロードサーバーから所定データーのダウンロードを要求するメディアプレーヤーにおいて、
メディアに記録されたコンテンツ毎に表示字幕の種別、視聴音声の種別、及び再生回数を記録する記録手段と、
前記記録された再生回数に応じて、前記ダウンロードサーバーに要求する画面上で表示する表示言語を選択する表示言語選択手段と、
前記選択された表示言語を前記ネットワークを介して前記ダウンロードサーバーに要求する要求手段と、を有することを特徴とするメディアプレーヤー。
【請求項２】
前記表示言語選択手段は、再生回数が最も多いコンテンツの字幕情報を画面上で表示する表示言語として選択することを特徴とする請求項１に記載のメディアプレーヤー。
【請求項３】
前記表示言語選択手段は、再生回数が最も多いコンテンツの視聴音声を画面上で表示する表示言語として選択することを特徴とする請求項１に記載のメディアプレーヤー。
【請求項４】
前記表示言語選択手段は、再生回数が最も多いコンテンツの字幕情報を第１の表示言語として選択し、更に、前記再生回数が最も多いコンテンツの視聴音声と同一の字幕情報を備えるコンテンツの字幕情報を第２の表示言語として選択することを特徴とする請求項１に記載のメディアプレーヤー。
【請求項５】
前記表示言語は、コンテンツの再生に付帯して表示される広告映像や、字幕画像であることを特徴とする請求項１から請求項４のいずれか一項に記載のメディアプレーヤー。
【請求項６】
前記表示言語選択手段は、再生回数が最も多いコンテンツの字幕情報を画面上で表示する表示言語として選択し、
前記表示言語は、コンテンツの再生に付帯して表示される広告映像や、字幕画像であることを特徴とする請求項１に記載のメディアプレーヤー。
【発明の詳細な説明】
【技術分野】
【０００１】
本発明はメディアプレーヤーに関し、特に、ネットワーク上に接続されたダウンロードサーバーに対して所定データーのダウンロードを要求するメディアプレーヤーに関する。
【背景技術】
【０００２】
従来、ＤＶＤやＢＤ（ブルーレイ・ディスク）等のメディアに記録されたコンテンツを再生するメディアプレーヤーが普及している。また、メディアプレーヤーの中にはインターネット等のネットワークと接続する機能を有するものもあり、ネットワーク上に接続されたダウンロードサーバーから所定のデーターをダウンロード可能である。
【０００３】
上記したメディアプレーヤーが再生するコンテンツの中には、再生時にダウンロードサーバーのアドレスを指定し、指定されたダウンロードサーバーからメインコンテンツ以外の情報を取得させるものも存在する。例えば、メディアプレーヤーは、指定されたダウンロードサーバーからコンテンツ配信先の広告や、メインコンテンツに付帯する情報である字幕情報等をダウンロードする（例えば、特許文献１−４参照。）。
【先行技術文献】
【特許文献】
【０００４】
【特許文献１】特開２００８−１９９３１４号公報
【特許文献２】特開２００７−３５１０１号公報
【特許文献３】特開２００６−１０７６９３号公報
【特許文献４】特開２００２−１０１３９０号公報
【発明の概要】
【発明が解決しようとする課題】
【０００５】
従来の技術では、ダウンロードサーバーからダウンロードさせる情報をユーザーの視聴状況に応じた表示言語になるよう装置側で自動で選択させるものは存在しなかった。
【０００６】
本発明は、上記課題にかんがみてなされたもので、コンテンツの再生に付帯してダウンロードされる情報を表示するための言語をユーザーの視聴状況に応じて自動で選択することが可能なメディアプレーヤーの提供を目的とする。
【課題を解決するための手段】
【０００７】
上記課題を解決するために、本発明では、ネットワーク上で接続されたダウンロードサーバーから所定データーのダウンロードを要求するメディアプレーヤーにおいて、メディアに記録されたコンテンツ毎に表示字幕の種別、視聴音声の種別、及び再生回数を記録する記録手段と、前記記録された再生回数に応じて、前記ダウンロードサーバーに要求する画面上で表示する表示言語を選択する表示言語選択手段と、前記選択された表示言語を前記ネットワークを介して前記ダウンロードサーバーに要求する要求手段と、を有する構成としてある。
【０００８】
上記のように構成された発明では、記録手段は、メディアに記録されたコンテンツ毎に表示字幕の種別、視聴音声の種別、及び再生回数を記録する。また、表示言語選択手段は、記録された再生回数に応じて、前記ダウンロードサーバーに要求する画面上で表示する表示言語を選択する。そして、要求手段は、決定された表示言語をネットワークを介してダウンロードサーバーに要求する。
そのため、ユーザーの視聴状態に応じて、以後メディアの再生毎に表示言語を自動で決定することが可能となる。
【０００９】
また、表示言語選択手段が、画面に表示させる表示言語を選択する構成の一例として、前記表示言語選択手段は、再生回数が最も多いコンテンツの字幕情報を画面上で表示する構成としてもよい。
【００１０】
そして、表示言語選択手段が、画面に表示させる表示言語を選択する構成の一例として、前記表示言語選択手段は、再生回数が最も多いコンテンツの視聴音声を画面上で表示する構成としてもよい。
【００１１】
さらに、表示言語選択手段が、画面に表示させる表示言語を選択する構成の一例として、前記表示言語選択手段は、再生回数が最も多いコンテンツの字幕情報を、第１の表示言語として選択し、更に、前記再生回数が最も多いコンテンツの視聴音声と同一の字幕情報を備えるコンテンツの字幕情報を第２の表示言語として選択する構成としてもよい。
上記のように構成された発明では、字幕情報及び視聴音声の再生回数のみならず、字幕情報の移行経過をも反映させて表示言語を選択するため、よりユーザーの嗜好に沿った表示言語を自動で決定することができる。
【００１２】
また、前記表示言語は、コンテンツの再生に付帯して表示される広告映像や、字幕画像であってもよい。
【００１３】
そして、本発明の他の局面として、前記表示言語選択手段は、再生回数が最も多いコンテンツの字幕情報を画面上で表示する表示言語として選択し、前記表示言語は、コンテンツの再生に付帯して表示される広告映像や、字幕画像である構成としてもよい。
【発明の効果】
【００１４】
以上説明したように本発明によれば、ユーザーの視聴状態に応じて、以後メディアの再生毎に表示言語を自動で決定することが可能となる。
さらに請求項４にかかる発明によれば、よりユーザーの嗜好に沿った表示言語を自動で決定することができる。
【図面の簡単な説明】
【００１５】
【図１】メディアプレーヤーとダウンロードサーバー６０との関係を示す図である。
【図２】第１の実施形態にかかるメディアプレーヤーの構成を示すブロック図である。
【図３】テーブル作成部８２ｃにより作成されるテーブルを説明するための図である。
【図４】メディアプレーヤー８０がコンテンツ再生時にダウンロードサーバー６０に情報を要求する処理を説明するフローチャートである。
【図５】テーブル作成部８２ｃにより作成されたテーブルを示す図である。
【図６】第３の実施形態において、図４のステップＳ２により実行される処理を説明するためのフローチャートである。
【発明を実施するための形態】
【００１６】
以下、図を参照しつつ下記の順序に従って本発明の実施形態を説明する。
１．第１の実施形態：
２．第２の実施形態：
３．第３の実施形態：
４．その他の実施形態：
【００１７】
１．第１の実施形態： 
以下、図を参照して、この発明に係るメディアプレーヤーを具体化した第１の実施形態について説明する。図１は、メディアプレーヤーとダウンロードサーバーとの関係を示す図である。また、図２は、第１の実施形態にかかるメディアプレーヤーの構成を示すブロック図である。
【００１８】
表示装置９０とメディアプレーヤー８０とは、ＨＤＭＩ（High Definition Multimedia Interface）規格のケーブル７０を介して接続されており、メディアプレーヤー８０と表示装置９０との間でデーターを通信することが可能である。また、メディアプレーヤー８０はネットワークＮに接続可能であり、ユーザーがディスクメニューのＢＤーＬｉｖｅを選択することでネットワークＮを通じてダウンロードサーバー６０と接続し、このダウンロードサーバー６０が記憶するデーターをダウンロードすることができる。なお、ＢＤ−Ｌｉｖｅについては後述する。
【００１９】
＝＝＝メディアプレーヤーの構成＝＝＝
メディアプレーヤー８０は、以下の要部を備えて構成されている。符号８１は、メディア制御部であり、所定のメディアをもとに録画又は再生を行う。符号８２は、制御部であり、メディアプレーヤー８０の駆動を制御する。符号８３は、メモリーカードであり、所定のデーターを記憶する。符号８４は、ＯＳＤ回路であり、メディア制御部８１が出力するデーターにＯＳＤ画像を重畳させて出力する。符号８５は、ＨＤＭＩ通信部であり、ＨＤＭＩ規格に準じてデーターを送信する。符号８６は、ネットワークＩ／Ｆであり、所定のプロトコルに従ってメディアプレーヤー８０をネットワークＮに接続させる。符号８７は、リモコン受信部であり、図示しないリモコン装置から送信される制御信号を制御部８２に送信する。符号８８は、メモリーＩ／Ｆであり、メモリーカード８３と着脱可能に接続して、メモリーカード８３に対するアクセスを制御する。
【００２０】
メディア制御部８１は、ＢＤ（ブルーレイディスク）やＤＶＤ等のメディアに記憶されたデーターを光ピックアップ部により読み取り、ＨＤＭＩ通信部８５を通じて表示装置９０に送信する。また、表示装置９０から出力されるデーターをケーブル７０を通じて受信した場合は、メディア制御部８１は光ピックアップ部により取得したデーターをメディアに記憶させる。
【００２１】
制御部８２は、図示しないＣＰＵや、ＣＰＵを駆動させるためのプログラムやデーターが記憶されたＲＯＭ、及びＣＰＵのワークエリアとして作用するＲＡＭを備えて構成されている。また、制御部８２は、ユーザーがリモコン受信部８７を介して送信した制御信号により、メディアプレーヤー８０の駆動を制御する。なお、制御部８２と、メディアプレーヤー８０を構成する各部はバスを介して接続されており、このバスを介して制御が行われる。
【００２２】
また、制御部８２は、ＲＯＭに記憶されたプログラムを実行することで、録画・再生制御部８２ａ、ネットワーク接続確立部８２ｂ、テーブル作成部８２ｃ、表示言語選択部８２ｄ、言語情報要求部８２ｅの各機能を実現する。
【００２３】
録画・再生制御部８２ａは、メディア制御部８１、及びＨＤＭＩ通信部８５を制御して、メディアに記録されたコンテンツの再生及び録画を制御する。即ち、メディアに記録されたコンテンツを再生する場合は、まず、録画・再生制御部８２ａは、メディア制御部８１にメディアに記録されたコンテンツ情報を読み取らせる。そして、録画・再生制御部８２ａは、ＨＤＭＩ通信部８５を制御して、読み取ったコンテンツ情報を表示装置９０に出力させる。
【００２４】
ネットワーク接続確立部８２ｂは、メディアプレーヤー８０をネットワークに接続する命令を受けた場合は、予め設定されたプロトコルに従って、ネットワークＩ／Ｆ８６を制御しネットワークＮとの接続を確立する。
【００２５】
テーブル作成部８２ｃは、メディアに記録されたコンテンツを再生する際、この再生に合わせて使用されるコンテンツ情報（タイトル名、種別、表示字幕、視聴音声）、及び同一コンテンツの再生回数をテーブルに記録する。図３は、テーブル作成部８２ｃにより作成されるテーブルを説明するための図である。図３に示すように、テーブルには、コンテンツ情報として取得されたタイトル名毎に、コンテンツの種別（アニメ、ニュース、ｅｔｃ）、表示字幕、視聴音声、及びコンテンツの再生回数が記録される。また、一度テーブルが作成されると、テーブル作成部８２ｃは、記録されたコンテンツの再生毎にテーブルに記録された各値を更新する。そのため、テーブル作成部８２ｃは、本発明の記録手段の機能を実現する。
【００２６】
表示言語選択部（表示言語選択手段）８２ｄは、テーブル作成部８２ｃによって作成されたテーブルを参照して、メディアプレーヤー８０が任意のコンテンツを再生する際に使用される表示言語の種別を決定する。ここで、コンテンツを再生する際に使用される表示言語とは、メインコンテンツの再生前に表示される広告映像や、メインコンテンツの字幕画像であり、コンテンツ配信元のダウンロードサーバー６０に一括管理されている。そのため、メディアプレーヤー８０がコンテンツを再生する毎に、同メディアプレーヤー８０から送信される要求に応じてダウンロードサーバー６０からダウンロードされる。
【００２７】
言語情報要求部８２ｅは、接続が確立されたダウンロードサーバー６０に対して、表示言語選択部８２ｄにより選択された表示言語に対応する情報を要求する。また、言語情報要求部８２ｅは、ダウンロードサーバー６０からダウンロードされた情報（広告映像、字幕画像）をメモリーカード８３に記録させる。そのため、言語情報要求部８２ｅは、本発明の要求手段の機能を実現する。
【００２８】
メモリーカード８３は、例えばＥＥＰＲＯＭであり、ダウンロードサーバー６０から送信されるデーターを記憶する。メモリーカード８３に記憶されるデーターの一例としては、メディアプレーヤー８０の製造元のダウンロードサーバー６０からダウンロードされた設定データーや、「ＢＤ−Ｌｉｖｅ」が選択された際、コンテンツの配信元のダウンロードサーバー６０からダウンロードされる広告情報や、字幕画像である。
【００２９】
ＯＳＤ回路８４は、メディア制御部８１から出力される映像データーにＯＳＤ画像を合成して出力させる。ＯＳＤ回路８４が出力させるＯＳＤ画像としては、メディアプレーヤー８０の各種設定を選択するためのメニュー画面、及びメディア再生時における、ディスクメニュー等が含まれる。なお、ＯＳＤ回路８４が出力するＯＳＤ画像は予め内部メモリーに記憶されたものであり、制御コマンドに応じて出力されるＯＳＤ画像が決定される。
【００３０】
ＨＤＭＩ通信部８５は、表示装置９０に実装されるＨＤＭＩ通信部との間でＨＤＭＩ規格に準じた通信を行うためのインタフェ−スであり、映像・音声データー及び制御コマンドを通信する。また、本実施形態では制御コマンドとして、ＣＥＣ（Consumer Electronics Control）規格に準じた制御コマンドを用いる。この制御コマンドにより、メディアプレーヤー８０からは、ケーブル７０を通じて表示装置９０の駆動を制御することが可能となる。
【００３１】
ネットワークＩ／Ｆ８６は、通信回線を介してプロバイダーとの接続を確立するルーター等により構成され、ネットワーク接続確立部８２ｂから接続要求が出力されると、予め設定されたプロトコルに従ってプロバイダーとの接続を確立する。また、指定されたアドレスを受信した場合は、このアドレスで指定されたサーバーとの接続を確立させる。
【００３２】
本実施形態では、メディアプレーヤー８０では、ユーザーがＢＤの再生中にディスクメニューからＢＤ−Ｌｉｖｅを選択すると、制御部８２がネットワークＩ／Ｆ８６にこのＢＤの再生に対応したデーターをダウンロードサーバー６０からダウンロードさせる。ここで、ＢＤ−Ｌｉｖｅとは、ＢＤに記憶されたデーターと付加的な役割を示すデーターをダウンロードさせるモードである。このＢＤ−Ｌｉｖｅでは、例えば、ＢＤに記憶された字幕を補間する追加字幕（字幕画像）や、ＢＤに記憶されたデーターの製造元から供給される情報（広告映像）がダウンロードされる。
【００３３】
＝＝＝メディアプレーヤー８０におけるデーター要求処理について＝＝＝
以下、図４を参照して、メディアプレーヤー８０が情報（広告情報、字幕画面）をダウンロードサーバー６０に要求する流れを説明する。図４は、メディアプレーヤー８０がコンテンツ再生時にダウンロードサーバー６０に情報を要求する処理を説明するフローチャートである。
【００３４】
ユーザーがブルーレイディスク等のメディアをメディアプレーヤー８０に挿入すると、録画・再生制御部８２ａは、メディアに記録された情報の読取りを行う。また、この状態で、ユーザーがメニュー画面から「ＢＤ＿Ｌｉｖｅ」を選択すると、以下、メディアプレーヤー８０は、図４に示す処理を実行する。
【００３５】
ステップＳ１では、ネットワーク接続確立部８２ｂがダウンロードサーバー６０との接続を確立する。そのため、メディアプレーヤー８０とダウンロードサーバー６０とはネットワークＮを通じて接続される。
【００３６】
ステップＳ２では、表示言語選択部８２ｄが、テーブル作成部８２ｃにより作成されたテーブルを参照して、ダウンロードサーバー６０に要求する表示言語を選択する。以下、第１の実施形態では、図３に示す再生回数が最も多いコンテンツの表示字幕により表示言語を決定するものとする。そのため、表示言語選択部８２ｄは、再生回数の最も多いコンテンツである「ＡＡＡ」の表示字幕である「日本語」をダウンロードサーバー６０に要求する表示言語として決定する。
【００３７】
ステップＳ３では、言語情報要求部８２ｅがステップＳ２で選択した表示言語に対応した情報（広告映像、字幕画像）をダウンロードサーバー６０に要求する。そのため、要求を受信したダウンロードサーバー６０は、メディアプレーヤー８０に日本語の広告映像又は字幕画像をダウンロードする。
【００３８】
メディアプレーヤー８０が、日本語の広告映像又は字幕画像のダウンロードを受けると（ステップＳ４：ＹＥＳ）、ステップＳ５では、録画・再生制御部８２ａは、この広告映像又は字幕画像をメモリーカード８３に記憶するとともに、メディアの再生に合わせて、広告画像又は字幕映像を再生する。そのため、メディアに記録されたコンテンツの再生において表示される広告映像、及び字画像はすべて日本語により表示される。
【００３９】
以上説明したように、メディアプレーヤー８０では、制御部８２がメディアに記録されたコンテンツ毎に表示字幕の種別及び視聴音声、再生回数を記録し、記録された再生回数に応じて、ダウンロードサーバー６０に要求する画面上で表示する表示言語を選択するため、ユーザーの視聴状態に応じて、以後メディアの再生毎に表示言語を自動で決定することが可能となる。
【００４０】
２．第２の実施形態：
表示言語選択部８２ｄが表示言語を決定するために用いる条件として、再生回数の最も多いメディアにおける視聴音声であってもよい。上記のように構成することで、字幕情報の再生を選択しないユーザーに対しても適切に表示言語を選択することが可能となる。
【００４１】
３．第３の実施形態：
表示言語選択部８２ｄが表示言語を決定するための用いる条件として、テーブルに記録される表示字幕を総合的に判断するものであってもよい。即ち、表示言語選択部８２ｄは、第１及び第２の実施形態のようにコンテンツの再生回数のみならず、各コンテンツの視聴音声と表示字幕との関係等も考慮にいれつつ、ダウンロードサーバー６０に要求する表示字幕を選択する。
例えば、母国語を日本語とするユーザーが英語を訓練するために視聴音声を英語にしてコンテンツを再生する場合、最も再生回数が多いコンテツの表示字幕は英語となる。しかし、その他の目的で視聴されるコンテンツでは、この表示字幕を視聴音声とている場合でも、母国語である日本語を表示字幕とする場合も多いはずである。そのため、視聴音声と表示字幕との関係を考慮しつつ表示言語を決定することにより、よりユーザーの嗜好に沿った表示言語を自動で決定することができる。
【００４２】
図５は、テーブル作成部８２ｃにより作成されたテーブルを示す図である。また、図６は、第３の実施形態において、図４のステップＳ２により実行される処理を説明するためのフローチャートである。なお、本実施形態にかかる処理の実行の有無は、ユーザーがメニュー画面上で切り替え可能である。即ち、ユーザーがメニュー画面上で上記した第１及び第２の実施形態の処理の実行の有無を選択することで、その実行が行われる。以下、第１及び第２の実施形態と同一内容においては、図６を流用しつつその説明を省略する。
【００４３】
ステップＳ１１において、表示言語選択部８２ｄは、テーブル作成部８２ｃにより作成されたテーブルを読み出す。次に、ステップＳ１２において、表示言語選択部８２ｄは、最も再生回数が多いコンテンツを検出する。そのため、図５において、表示言語選択部８２ｄは、コンテンツ「ＣＣＣ」を検出し、この表示字幕である英語を第１の表示言語とする。なお、コンテンツ「ＣＣＣ」の表示字幕は「英語」である。
【００４４】
また、ステップＳ１３において、表示言語選択部８２ｄは、選択されたコンテンツ「ＣＣＣ」の表示字幕と同一の視聴音声を有するコンテンツを検出する。そのため、表示言語選択部８２ｄは、コンテンツ「ＣＣＣ」の表示字幕である「英語」を視聴音声とするコンテンツ「ＡＡＡ」、「ＤＤＤ」を検出する。
【００４５】
ステップＳ１４において、表示言語選択部８２ｄは、ステップＳ１３で検出されたコンテンツ「ＡＡＡ」、「ＤＤＤ」を比較して、最も再生回数の多いコンテンツにおける表示字幕を第２表示言語として選択する。即ち、表示言語選択部８２ｄは、コンテンツ「ＡＡＡ」と「ＤＤＤ」とを比較した場合における、再生回数が多い「ＡＡＡ」の表示字幕である「日本語」を第２表示言語として選択する。
【００４６】
以後、図４のステップＳ３においては、言語情報要求部８２ｅは、第１表示言語である「英語」と第２表示言語である「日本語」とを、ダウンロードサーバー６０に要求する。以上、第３の実施形態を説明した。
【００４７】
４．その他の実施形態：
本発明は様々な実施形態が存在する。
メディアプレーヤーの構成は、表示装置と接続するもの意外にも、表示装置内部にメディアプレーヤーの機能を備えるものであってもよい。
【００４８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４９】
６０…ダウンロードサーバー、７０…ケーブル、８０…メディアプレーヤー、８１…メディア制御部、８２…制御部、８２ａ…録画・再生制御部、８２ｂ…ネットワーク接続確立部、８２ｃ…テーブル作成部、８２ｄ…表示言語選択部、８２ｅ…言語情報要求部、８３…メモリーカード、８４…ＯＳＤ回路、８５…ＨＤＭＩ通信部、８６…ネットワークＩ／Ｆ、８７…リモコン受信部、８８…メモリーＩ／Ｆ、９０…表示装置
【図１】
2011151651.tif 000003
【図２】
2011151651.tif 000004
【図３】
2011151651.tif 000005
【図４】
2011151651.tif 000006
【図５】
2011151651.tif 000007
【図６】
2011151651.tif 000008